(57)【要約】【課題】  キャリッジの構造を簡略化でき、さらに、記録ヘッド前方の所定位置にインクリボンを正確に案内する。【解決手段】  複数本の記録ワイヤと前記記録ワイヤを案内するノーズ部２０Ｂとを有し、キャリッジ２１に搭載され、前記キャリッジ２１の走行中に前記記録ワイヤをプラテン２３に突出させて記録用紙にインクリボン４４Ａを介して画像を記録する記録ヘッド２０において、記録ヘッド本体２０Ａには、前記インクリボン４４Ａを前記ノーズ部２０Ｂ前方の所定位置に案内するリボンホルダ７０が取り付けられ、当該リボンホルダ７０と共に前記キャリッジ２１に取り付けるようにした。【選択図】      図５
2005246657.tif 000002
【特許請求の範囲】
【請求項１】
複数本の記録ワイヤと前記記録ワイヤを案内するノーズ部とを有し、キャリッジに搭載され、前記キャリッジの走行中に前記記録ワイヤをプラテンに突出させて記録用紙にインクリボンを介して画像を記録する記録ヘッドにおいて、
記録ヘッド本体には、前記インクリボンを前記ノーズ部前方の所定位置に案内するリボンホルダが取り付けられ、当該リボンホルダと共に前記キャリッジに取り付けるようにした
ことを特徴とする記録ヘッド。
【請求項２】
前記リボンホルダは、前記記録ヘッド本体に引っ掛かる引掛部を有する係止部を備える
ことを特徴とする請求項１に記載の記録ヘッド。
【請求項３】
前記記録ヘッド本体は、前記リボンホルダの高さ方向を位置決めするための位置決め用凸部を備え、
前記リボンホルダの係止部は、前記位置決め用凸部に嵌合する位置決め用凹部を
備えることを特徴とする請求項１または２に記載の記録ヘッド。
【請求項４】
前記記録ヘッド本体は、前記リボンホルダの係止部に設けられた高さ方向を位置決めするための前記位置決め用凸部に嵌合する位置決め用凹部を
備えることを特徴とする請求項１または２に記載の記録ヘッド。
【請求項５】
前記記録ヘッド本体は、前記記録ワイヤを駆動する駆動部と、前記駆動部に発生する熱を放熱する放熱器とを更に備え、
前記リボンホルダは、前記放熱器を覆うカバーを備える
ことを特徴とする請求項１乃至４のいずれかに記載の記録ヘッド。
【請求項６】
複数本の記録ワイヤと前記記録ワイヤを案内するノーズ部とを有し、キャリッジに搭載され、前記キャリッジの走行中に前記記録ワイヤをプラテンに突出させて記録用紙にインクリボンを介して画像を記録する記録ヘッドを備える記録装置において、
記録ヘッド本体には、前記インクリボンを前記ノーズ部前方の所定位置に案内するリボンホルダが取り付けられ、前記記録ヘッドを前記リボンホルダと共に前記キャリッジに取り付けるようにした
ことを特徴とする記録装置。
【請求項７】
前記リボンホルダは、前記記録ヘッド本体に引っ掛かる引掛部を有する係止部を備える
ことを特徴とする請求項６に記載の記録装置。
【請求項８】
前記記録ヘッド本体は、前記リボンホルダの高さ方向を位置決めするための位置決め用凸部を備え、
前記リボンホルダの係止部は、前記位置決め用凸部に嵌合する位置決め用凹部を
備えることを特徴とする請求項６または７に記載の記録装置。
【請求項９】
前記記録ヘッド本体は、前記リボンホルダの係止部に設けられた高さ方向を位置決めするための前記位置決め用凸部に嵌合する位置決め用凹部を
備えることを特徴とする請求項６または７に記載の記録装置。
【請求項１０】
前記記録ヘッド本体は、前記記録ワイヤを駆動する駆動部と、前記駆動部に発生する熱を放熱する放熱器とを更に備え、
前記リボンホルダは、前記放熱器を覆うカバーを備える
ことを特徴とする請求項６乃至９のいずれかに記載の記録装置。
【発明の詳細な説明】
【技術分野】
【０００１】
本発明は、記録用紙に印字・記録するための記録ヘッド及び当該記録ヘッドを備えた記録装置に関する。
【背景技術】
【０００２】
従来から、記録ヘッドによりシート（記録用紙）に画像を記録する記録装置として、記録ヘッドを搭載したキャリッジをプラテンの軸方向に沿って走行させる間に、記録ヘッドに設けた複数本の記録ワイヤを上記プラテンへ向かって突出させて、記録ヘッドとプラテンとの間に搬送されるシートに、インクリボンを介して画像を記録するドットインパクトプリンタが知られている。この種のものには、インクリボンカートリッジから送り出されたインクリボンが記録ワイヤの前方に安定して送られるようにするためのリボンホルダを備えたものがある。このリボンホルダは、記録ヘッドを保持するキャリッジに突設された一対のピンに挿着する等して、キャリッジに取り付けられる（例えば、特許文献１参照）。
【特許文献１】特開平８−２３８８３１号公報
【発明の開示】
【発明が解決しようとする課題】
【０００３】
しかしながら、上記従来の技術では、キャリッジにリボンホルダを取り付ける構成であるため、当該キャリッジにリボンホルダを取り付けるための形状或いは部材等を要し、キャリッジの構造が複雑となることから、結果として、製造コストが高くなるといった問題があった。
【０００４】
また、キャリッジにリボンホルダを取り付ける構成とすると、記録ヘッド前方の所定位置にインクリボンを正確に案内することができない、といった問題があった。
【０００５】
本発明は、上述した事情に鑑みてなされたものであり、キャリッジの構造を簡略化でき、さらに、記録ヘッド前方の所定位置にインクリボンを正確に案内することができる記録ヘッド及び当該記録ヘッドを備えた記録装置を提供することを目的とする。
【課題を解決するための手段】
【０００６】
上記目的を達成するために、本発明は、複数本の記録ワイヤと前記記録ワイヤを案内するノーズ部とを有し、キャリッジに搭載され、前記キャリッジの走行中に前記記録ワイヤをプラテンに突出させて記録用紙にインクリボンを介して画像を記録する記録ヘッドにおいて、記録ヘッド本体には、前記インクリボンを前記ノーズ部前方の所定位置に案内するリボンホルダが取り付けられ、当該リボンホルダと共に前記キャリッジに取り付けるようにしたことを特徴とする。
【０００７】
また本発明は、上記発明の記録ヘッドにおいて、前記リボンホルダは、前記記録ヘッド本体に引っ掛かる引掛部を有する係止部を備えることを特徴とする。
【０００８】
また本発明は、上記発明の記録ヘッドにおいて、前記記録ヘッド本体は、前記リボンホルダの高さ方向を位置決めするための位置決め用凸部を備え、前記リボンホルダの係止部は、前記位置決め用凸部に嵌合する位置決め用凹部を備えることを特徴とする。
【０００９】
また本発明は、上記発明の記録ヘッドにおいて、前記記録ヘッド本体は、前記リボンホルダの係止部に設けられた高さ方向を位置決めするための前記位置決め用凸部に嵌合する位置決め用凹部を備えることを特徴とする。
【００１０】
また本発明は、上記発明の記録ヘッドにおいて、前記記録ヘッド本体は、前記記録ワイヤを駆動する駆動部と、前記駆動部に発生する熱を放熱する放熱器とを更に備え、前記リボンホルダは、前記放熱器を覆うカバーを備えることを特徴とする。
【００１１】
また本発明は、複数本の記録ワイヤと前記記録ワイヤを案内するノーズ部とを有し、キャリッジに搭載され、前記キャリッジの走行中に前記記録ワイヤをプラテンに突出させて記録用紙にインクリボンを介して画像を記録する記録ヘッドを備える記録装置において、記録ヘッド本体には、前記インクリボンを前記ノーズ部前方の所定位置に案内するリボンホルダが取り付けられ、前記記録ヘッドを前記リボンホルダと共に前記キャリッジに取り付けるようにしたことを特徴とする。
【００１２】
また本発明は、上記発明の記録装置において、前記リボンホルダは、前記記録ヘッド本体に引っ掛かる引掛部を有する係止部を備えることを特徴とする。
【００１３】
また本発明は、上記発明において、前記記録ヘッド本体は、前記リボンホルダの高さ方向を位置決めするための位置決め用凸部を備え、前記リボンホルダの係止部は、前記位置決め用凸部に嵌合する位置決め用凹部を備えることを特徴とする。
【００１４】
また本発明は、上記発明の記録装置において、前記記録ヘッド本体は、前記リボンホルダの係止部に設けられた高さ方向を位置決めするための前記位置決め用凸部に嵌合する位置決め用凹部を備えることを特徴とする。
【００１５】
また本発明は、上記発明の記録装置において、前記記録ヘッド本体は、前記記録ワイヤを駆動する駆動部と、前記駆動部に発生する熱を放熱する放熱器とを更に備え、前記リボンホルダは、前記放熱器を覆うカバーを備えることを特徴とする。
【発明の効果】
【００１６】
本発明によれば、キャリッジの構造を簡略化でき、さらに、記録ヘッド前方の所定の位置にインクリボンを正確に配置することが可能となる。
【発明を実施するための最良の形態】
【００１７】
以下図面を参照して、本発明の実施の形態について説明する。
【００１８】
図１は、本発明が適用された記録装置の一態様たるドットインパクトプリンタの全体を示す斜視図であり、図２及び図３は、ドットインパクトプリンタのプリンタ本体の構成を示す斜視図である。また、図４は、プリンタ本体の断面図である。
【００１９】
図１乃至３に示す記録装置としてのドットインパクトプリンタ１０は、記録ヘッド２０（図３参照）が備える記録ワイヤ（不図示）を、インクリボン４４Ａ（図５参照）を介してシート（記録用紙）に押し付け、このシート上にドットを形成することにより、文字を含む画像を記録するものである。このシートとしては、所定長さに切断されたカットシートと、複数枚が連接された連続シートとがある。カットシートとしては、例えば単票紙や単票複写紙などの普通紙の他、通帳や葉書、封筒などがあり、連続シートとしては、連続紙、連続複写紙がある。
【００２０】
上記ドットインパクトプリンタ１０は、大別すると、記録装置本体としてのプリンタ本体１１と、プリンタ本体１１に着脱自在に装着されたプッシュトラクタユニット１２（図２）及び排出ユニット１３と、プリンタ本体１１の上方、下方のそれぞれを覆う外装体としてのアッパケース１４Ａ及びロアケース１４Ｂとを備えて構成されている。
【００２１】
上記プリンタ本体１１は、図２乃至図４に示すように、本体フレームとしてのベースフレーム１５、フロントフレーム１６、リアフレーム１７（図４）、左サイドフレーム１８及び右サイドフレーム１９と、記録ヘッド２０及びキャリッジ２１を備えた記録機構部２２と、プラテン２３、シート案内２４、第１従動ローラ２５及び第２従動ローラ２６を備えた第１シート搬送機構部２７、第３従動ローラ２８及び駆動ローラ２９を備えた第２シート搬送機構部３０と、を有して構成される。
【００２２】
ベースフレーム１５、フロントフレーム１６及びリアフレーム１７の略両端部に、左サイドフレーム１８及び右サイドフレーム１９が立設して固定される。これら左サイドフレーム１８と右サイドフレーム１９との間に、キャリッジ軸３１が架け渡されて、回動自在に枢支される。更に、左サイドフレーム１８と右サイドフレーム１９との間にプラテン２３が架け渡されて回転自在に配設されるとともに、更にシート案内２４がリアフレーム１７上に固定して配設される。
【００２３】
プラテン２３を含む上記第１シート搬送機構部２７は、図４に示すように、プラテン２３の下方に第１従動ローラ２５及び第２従動ローラ２６が配置され、プリンタ本体１１のリア側のシート搬送機構として構成される。第１従動ローラ２５及び第２従動ローラ２６は、従動ローラホルダ３２に回転自在に枢支される。従動ローラホルダ３２は、リアフレーム１７に一端が固定された付勢バネ３３によりプラテン２３側に付勢され、これにより第１従動ローラ２５及び第２従動ローラ２６がプラテン２３に対して下方から当接しプラテン２３の回転力を受けて回転駆動される。
【００２４】
また第２シート搬送機構部３０は、第３従動ローラ２８と駆動ローラ２９とが当接状態で配置されて、プリンタ本体１１のフロント側のシート搬送機構として構成される。
【００２５】
プラテン２３及び駆動ローラ２９は、駆動輪列部３４により正または逆方向に回転駆動される。この駆動輪列部３４は、左サイドフレーム１８又は右サイドフレーム１９の一方、例えば右サイドフレーム１９に設置される。この駆動輪列部３４は、正転又は逆転可能なシート搬送モータ３５（図２）と、シート搬送モータ３５の駆動軸に回転一体に固定されたモータピニオンと、このモータピニオンからの駆動力をプラテン２３へ伝達する複数の減速ギアと、駆動ローラ２９へ伝達する複数の減速ギアとを備えて構成される。この構成により、プラテン２３と駆動ローラ２９とが反対方向に回転し、カットシートまたは連続シートを、プリンタ本体１１の前方から後方へ搬送可能とし、または、プリンタ本体１１の後方から前方へ搬送可能とする。従って、カットシート及び連続シートは、キャリッジ２１の後述の主走査方向に直交する副走査方向に搬送される。
【００２６】
左サイドフレーム１８及び右サイドフレーム１９のプリンタ本体１１におけるフロント側及びリア側の各々には、トラクタユニット装着部４０Ａ、４０Ｂが形成され、各々にプッシュトラクタユニット１２が着脱自在に装着される。なお、図３は、プリンタ本体１１のフロント側にのみプッシュトラクタユニット１２が装着された状態を示す。
【００２７】
プリンタ本体１１のリア側に装着されるプッシュトラクタユニット１２は、連続シート（例えば連続紙）を、リア側の上記第１シート搬送機構部２７へ供給するものであり、フロント側に装着されるプッシュトラクタユニット１２は、フロント側の上記第２シート搬送機構部３０へ供給するものである。プリンタ本体１１のフロント側及びリア側に装着されるプッシュトラクタユニット１２は、各々略同様な構成となっており、左右に一対のトラクタ３６を有する。これらのトラクタ３６は、トラクタ駆動軸３７に回転一体且つ軸方向摺動自在に軸支されたトラクタ駆動プーリ（不図示）と、トラクタガイド軸３８に回転自在且つ軸方向摺動自在に軸支されたトラクタ従動駆動プーリ（不図示）とにトラクタベルト３９が巻き掛けられ、シート押え蓋（不図示）を備えて構成される。
【００２８】
一対のトラクタ３６間の距離は、搬送すべき連続シート（連続紙）の幅寸法に応じて調整可能とされる。また、トラクタベルト３９の全外周には複数のピンが突設され、連続シートの幅方向両側に穿設された穴に係合可能とされる。このトラクタベルト３９も前述の駆動輪列部３４により駆動される。
【００２９】
さて、上記キャリッジ２１は、キャリッジ軸３１に摺動自在に挿通されると共に、フロントフレーム１６の上端部に摺接され、更に、記録ヘッド２０を搭載する。キャリッジ軸３１がプラテン２３と平行に配置されることから、キャリッジ２１は、これらプラテン２３、キャリッジ軸３１の軸方向と一致する主走査方向に走行（走査）可能に設けられる。
【００３０】
このキャリッジ２１は、キャリッジ駆動モータ４１の正転又は逆転により往復移動されるタイミングベルト４２（図４）に結合される。従って、キャリッジ２１は、キャリッジ駆動モータ４１の正転又は逆転により、タイミングベルト４２を介し、キャリッジ軸３１に案内されて、主走査方向における図１乃至３の左向き又は右向きに走査される。ここで、キャリッジ駆動モータ４１は、シート搬送モータ３５とともに例えばステッピングモータにて構成される。
【００３１】
キャリッジ軸３１の前方左側には、リボン駆動軸４３が設けられる。このリボン駆動軸４３は、左サイドフレーム１８及び右サイドフレーム１９に装着されたリボンカセット４４内のインクリボン４４Ａを移動させるものである。このインクリボン４４Ａは、記録ヘッド２０とプラテン２３との間に引き回され、リボン駆動軸４３により移動可能に設けられる。
【００３２】
上記記録ヘッド２０は、多数の記録ワイヤ（不図示）を備え、これらの記録ワイヤの突出方向前方にインクリボン４４Ａが位置する。記録ヘッド２０は、キャリッジ２１と共に主走査方向に走行される間に、記録ワイヤを突出させてインクリボン４４Ａに打ち当て、このインクリボン４４Ａのインクを、プラテン２３と記録ヘッド２０との間に搬送されるシートに付着させて、このシートに文字を含む画像を記録する。
【００３３】
記録ヘッド２０による記録動作は、キャリッジ２１が図１乃至３の主走査方向左向き又は右向きに走行される間に、記録ヘッド２０の記録ワイヤにより一行分の記録がなされ、この一行分の記録がなされる度に、上記第１シート搬送機構部２７又は第２シート搬送機構部３０が、それぞれシートを所定長（通常行間分）搬送させ、これらの動作が繰り返されることにより実施される。
【００３４】
上記排出ユニット１３は、図４に示すように、ローラ軸４５に回転一体に設けられた排出ローラ４６を備え、この排出ローラ４６の回転によって、記録ヘッド２０により記録されたシートがプリンタ１０外に排出される。
【００３５】
上記右サイドフレーム１９の外側には、レリースレバー４７が設けられ、このレリースレバー４７の操作によって、シート搬送モータ３５の駆動力を伝達する伝達ギア（不図示）が、プリンタ本体１１のリア側に装着されたプッシュトラクタユニット１２のトラクタ駆動軸３７を駆動するトラクタ駆動ギア（不図示）と噛み合い、または離脱可能に構成される。伝達ギアがトラクタ駆動ギアと噛み合っている時には、図４に示すレリース軸４８に形成されたカム４９の作用で、第１シート搬送機構部２７の第１従動ローラ２５がプラテン２３から離反して、シートとしての連続紙が、プリンタ本体１１のリア側に装着されたプッシュトラクタユニット１２からプラテン２３へ供給され搬送される。
【００３６】
また、レリースレバー４７の操作により、伝達ギアがトラクタ駆動ギアから離脱したときには、上記カム４９の作用で、第１シート搬送機構部２７の第１従動ローラ２５がプラテン２３に接触して回転し、図示しないシート供給ガイド等から、シートとしての単票紙が、第１シート搬送機構部２７のシート案内２４からプラテン２３へ供給され搬送される。
【００３７】
上記左サイドフレーム１８の外側には、アジャストレバー５０が設けられ、このアジャストレバー５０の操作によって、その操作量に応じた分だけキャリッジ軸３１がプラテン２３から離間又は接近可能に構成される。従って、アジャストレバー５０の手動操作によって、上記キャリッジ軸３１に支持されたキャリッジ２１に搭載される記録ヘッド２０とプラテン２３との間のプラテンギャップを、シート厚等に応じて調整可能となる。
【００３８】
ところで、リボンカセット４４に収納されたインクリボン４４Ａには、図５に示すように、当該インクリボン４４Ａの幅方向Ｗの振れを規制しつつ、当該インクリボン４４Ａを記録ヘッド２０前方の所定位置に案内するためのリボンホルダ７０が取り付けられ、当該リボンホルダ７０は、図５に示すように、記録ヘッド２０に装着される。
【００３９】
図６は上記リボンホルダ７０が装着された記録ヘッド２０の構成を示す正面図、図７は当該記録ヘッド２０の上面図、図８は当該記録ヘッド２０の側面図である。また、図９は記録ヘッド２０の正面方向からみた上記リボンホルダ７０と記録ヘッド２０との分解斜視図、図１０は記録ヘッド２０の背面方向からみた上記リボンホルダ７０と記録ヘッド２０との分解斜視図である。
【００４０】
これらの図に示すように、リボンホルダ７０は、その正面に、記録ヘッド２０の記録ヘッド本体２０Ａに設けられたノーズ部２０Ｂが嵌合する嵌合溝部７０Ａと、インクリボン４４Ａの反記録側の面に対向して、この反記録側の面が接触する平滑面を有するリボン案内部７０Ｂと、インクリボン４４Ａの記録側の面に対向して、リボン案内部７０Ｂとの間にインクリボンを挟み込む、棒状のリボン押さえ部７０Ｃと、記録ヘッド本体２０Ａのノーズ部２０Ｂの両側及び上側を囲う側壁７０Ｄとを備えている。
【００４１】
リボン押さえ部７０Ｃには、インクリボン４４Ａを通すための、切断状態のスリット７２が形成され、このスリット７２は、インクリボン４４Ａの送り出し方向Ａ（図５参照）に対し、斜めに延びる傾斜部７２Ａを有して構成される。リボンホルダ７０を、インクリボン４４Ａに取り付ける場合、スリット７２を通じて、リボン押さえ部７０Ｃの内側にインクリボン４４Ａを通した後、インクリボン４４Ａの姿勢を正し、インクリボン４４Ａをリボン案内部７０Ｂとリボン押さえ部７０Ｃとの間に位置させる。この場合、インクリボン４４Ａを通すスリット７２が、その一部に傾斜部７２Ａを備えたとしても、インクリボン４４Ａを長手方向に略二つ折りしたような状態でスリット７２に挿入していけば、例えば、インクリボン４４Ａの送り出し方向Ａに対しほぼ直線状に延びるスリット７２を有するものに比べても、ほぼ同等にインクリボン４４Ａを通し易いものになる。
【００４２】
また、スリット７２に傾斜部７２Ａが形成されているため、このスリット７２を通じてインクリボン４４Ａを一旦通した後は、インクリボン４４Ａがスリット７２から不用意に抜け出すことがない。すなわち、スリット７２からインクリボン４４Ａが抜け出す場合には、インクリボン４４Ａが折れた状態で抜け出すが、このスリット７２に傾斜部７２Ａが存在すると、折れた状態のインクリボン４４Ａが、傾斜部７２Ａにじゃまされて、スリット７２から抜け出し難くなるのである。
【００４３】
次いで、このリボンホルダ７０を記録ヘッド２０に取り付けるための構造について詳述する。図９及び図１０に示すように、記録ヘッド２０Ａには放熱器６１が設けられ、この放熱器６１の両側壁には、リボンホルダ７０を取り付けるための取付溝８０が凹設されると共に、ノーズ部２０Ｂの左右両側には、リボンホルダ７０の高さ方向の取り付け位置を位置決めするためのノーズリブ８１（位置決め用凸部）が設けられている。
【００４４】
一方、リボンホルダ７０の上記側壁７０Ｄの両側壁内側には、上記取付溝８０と嵌合して引っ掛かる一対の突起７９（引掛部）と、上記ノーズリブ８１と嵌合する一対のリブ嵌合部７７（位置決め用凹部）とが形成され、この側壁７０Ｄが上記記録ヘッド２０に係合する係合部として機能する。
【００４５】
この構成の下、リボンホルダ７０を記録ヘッド２０に装着する場合、記録ヘッド２０の正面からリボンホルダ７０を宛がい、リボンホルダ７０の突起７９を、放熱器６１の取付溝８０に引っ掛けるように嵌め合わせると共に、記録ヘッド２０のノーズリブ８１をリボンホルダ７０のリブ嵌合部７７と嵌め合わせ、さらに、上記嵌合溝部７０Ａを記録ヘッド本体２０Ａのノーズ部２０Ｂに嵌合させることで、リボンホルダ７０の取り付けが完了する。この状態においては、リボンホルダ７０の突起７９と取付溝８０との係合により、リボンホルダ７０の抜け出しが防止される。また、このようにしてリボンホルダ７０を記録ヘッド２０に取り付けた後、この記録ヘッド２０がリボンホルダ７０と共にキャリッジ２１に取り付けられることになる。このとき、キャリッジ２１に接触することの無い寸法でリボンホルダ７０が形成されており、キャリッジ２１との接触によって、記録ヘッド２０に取り付けたリボンホルダ７０がズレないようになっている。
【００４６】
このように、本実施の形態によれば、キャリッジ２１ではなく記録ヘッド２０にリボンホルダ７０が取り付けられる構成としたため、キャリッジ２１に当該リボンホルダ７０を取り付けるための構造を設ける必要がなく、その構造が簡略化されるため、コストを低くすることが可能となる。
【００４７】
さらに、キャリッジ２１にリボンホルダ７０を取り付ける構成に比べ、当該リボンホルダ７０を記録ヘッド２０に直接取り付ける構成であるため、当該リボンホルダ７０と記録ヘッド２０との相対的な位置決めを正確に行う事が可能となり、結果として、リボンホルダ７０に案内されるインクリボン４４が記録ヘッド２０前方の所定位置に正確に位置決めされる。
【００４８】
詳述すると、本実施の形態では、リボンホルダ７０を取り付けるための取付溝８０が放熱器６１の両側に設けられているため、この取付部８０によりリボンホルダ７０の横方向の位置決めがなされ、また、リボンホルダ７０の高さ方向の位置決めが上述したノーズリブ８１によりなされる構成となっている。この構成により、リボンホルダ７０を記録ヘッド２０に取り付けた際に、リボンホルダ７０の上記リボン案内部７０Ｂと、記録ヘッド本体２０Ａのノーズ部２０Ｂとの位置決めを正確に行うことができ、インクリボン４４Ａをノーズ部２０Ｂの前方に正しい姿勢で、なおかつ、正確な位置に確実に案内することが可能となり、結果として、印字精度を向上させることが可能となる。
【００４９】
ところで、上述のように記録ヘッド２０の記録ヘッド本体２０Ａには、放熱器６１が設けられている。この放熱器６１は、記録ヘッド２０が電磁石コイル等の磁気回路を備えた駆動部を駆動して記録ワイヤ（不図示）を突出動作させた際に発生する熱を放熱するためのものである。この放熱器６１は、アルミニウム合金等の熱伝導性の高い材料にて形成される。従って、印字動作中或いは印字動作終了直後にあっては、この放熱器６１の表面が熱を持つことになる。そこで、ユーザが放熱器６１に手を触れる等しないように、図１１及び図１２に示すように、上述した実施の形態の構成に加え、放熱器６１が設けられた記録ヘッド２０を覆うカバー９０を上記リボンホルダ７０に設ける構成が望ましい。
【００５０】
具体的には、図１１及び図１２に示すように、記録ヘッド２０の上側、左右両側及び背面側を覆うカバー９０がリボンホルダ７０の側壁７０Ｄに着脱自在に設けられる。カバー９０とリボンホルダ７０との連結は、例えば、図１０に破線で示すように、リボンホルダ７０の側壁７０Ｄに係合突起９５を設け、この係合突起９５にカバー９０を係合させるように記録ヘッド２０の背面側から取り付ける構成とすれば良い。図１１及び１２に示すように、カバー９０が有する側壁のうち、記録ヘッド２０の両側に位置する側壁９０Ａ、９０Ｂ及び背面側に位置する側壁９０Ｃには、孔９１が格子状に形成されており、放熱器６１がカバー９０外部に十分に放熱できるようになっている。
【００５１】
このような構成とすることで、リボンホルダ７０を記録ヘッド２０に取り付け、さらに、このリボンホルダ７０に記録ヘッド２０の放熱器６１を覆うカバー９０を取り付けることで、当該カバー９０により記録ヘッド２０が覆われ、ユーザが不意に記録ヘッド２０に触ってしまうといったことが防止できる。また、リボンホルダ７０とカバー９０とを着脱自在とすることで、リボンホルダ７０及びカバー９０の記録ヘッド２０への取り付け作業を容易なものとすることができる。
【００５２】
上述した実施の形態は、あくまでも本発明の一態様を示すものであり、本発明の範囲内で任意に変形及び応用が可能であることは勿論である。例えば、上述した実施の形態において、記録ヘッド本体２０Ａ側に、リボンホルダ７０の高さ方向の位置決めをするための位置決め用凸部たるノーズリブ８１を設けると共に、側壁７０Ｄの両側壁内側にノーズリブ８１と嵌合する位置決め用凹部たるリブ嵌合部７７を設ける構成としたが、これとは逆に、記録ヘッド本体２０Ａ側に、位置決め用凹部を設けると共に、リボンホルダ７０側に位置決め用凸部を設ける構成としても良い。
【図面の簡単な説明】
【００５３】
【図１】本発明に係る記録装置の一実施の形態が適用されたドットインパクトプリンタを示す斜視図である。
【図２】プリンタ本体の構成を示す斜視図である。
【図３】プリンタ本体の構成を示す斜視図である。
【図４】プリンタ本体の構成を示す断面図である。
【図５】記録ヘッドに装着されたリボンホルダの構成をインクリボンと共に示す斜視図である。
【図６】上記リボンホルダの構成を示す正面図である。
【図７】上記リボンホルダの構成を示す上面図である。
【図８】上記リボンホルダの構成を示す側面図である。
【図９】上記リボンホルダと記録ヘッドとの分解斜視図である。
【図１０】上記リボンホルダと記録ヘッドとの分解斜視図である。
【図１１】上記リボンホルダの望ましい態様を示す斜視図である。
【図１２】上記リボンホルダの望ましい態様を示す斜視図である。
【符号の説明】
【００５４】
１０…ドットインパクトプリンタ（記録装置）、１１…プリンタ本体、２０…記録ヘッド、２０Ａ…記録ヘッド本体、２０Ｂ…ノーズ部、２１…キャリッジ、２３…プラテン、３１…キャリッジ軸、４４Ａ…インクリボン、６１…放熱器、７０…リボンホルダ、７０Ｄ…側壁（係合部）、７７…リブ嵌合部（位置決め用凹部）、７９…突起（引掛部）、８０…取付溝、８１…ノーズリブ（位置決め用凸部）、９０…カバー。
【図１】
2005246657.tif 000003
【図２】
2005246657.tif 000004
【図３】
2005246657.tif 000005
【図４】
2005246657.tif 000006
【図５】
2005246657.tif 000007
【図６】
2005246657.tif 000008
【図７】
2005246657.tif 000009
【図８】
2005246657.tif 000010
【図９】
2005246657.tif 000011
【図１０】
2005246657.tif 000012
【図１１】
2005246657.tif 000013
【図１２】
2005246657.tif 000014